(57)【要約】【課題】使用者の嗜好に合わせて操作子に加わる負荷の大きさを調整することができる信号調整装置を提供すること。【解決手段】所定の移動範囲を移動する移動部材１４０と、移動部材１４０の移動に負荷を付与する負荷付与機構１６０と、移動部材１４０に付与される負荷の大きさを調整する負荷調整機構１７０と、移動部材１４０の位置を検出するリニアエンコーダ１８０と、移動部材１４０の位置に基づいて信号を調整する演算ＩＣ１９０とを備えるように信号調整装置１００を構成する。【選択図】  図２
2005064071.tif 000002
【特許請求の範囲】
【請求項１】
所定の移動範囲を移動する移動部材の位置に基づいて信号を調整する信号調整装置において、
前記移動部材の移動に負荷を付与する負荷付与手段と、
前記付与される負荷の大きさを調整する負荷調整手段と、
を備えることを特徴とする信号調整装置。
【請求項２】
請求項１に記載の信号調整装置において、
前記負荷付与手段は、
前記移動部材に固定された磁石と、
前記移動部材の移動方向に延在する磁性体と、
によって構成されたことを特徴とする信号調整装置。
【請求項３】
請求項２に記載の信号調整装置において、
前記負荷調整手段は、前記磁石と前記磁性体との間の距離を変化させるように前記磁性体を移動させる調整部材によって構成されたことを特徴とする信号調整装置。
【請求項４】
請求項３に記載の信号調整装置において、
前記調整部材は、前記磁性体を前記移動部材の移動方向に対して平行に配置するリンク機構を有することを特徴とする信号調整装置。
【請求項５】
請求項３又は請求項４に記載の信号調整装置において、
前記調整部材は、前記磁石と前記磁性体との間の距離を任意に設定する設定部を有することを特徴とする信号調整装置。
【請求項６】
請求項３から請求項５の何れか一項に記載の信号調整装置において、
前記調整部材は、前記磁石と前記磁性体との間の距離を一定に保持する保持部を有することを特徴とする信号調整装置。
【発明の詳細な説明】
【０００１】
【発明の属する技術分野】
本願は、対象になる信号を調整するようになされた信号調整装置の技術分野に属する。
【０００２】
【従来の技術】
従来から、この種の信号調整装置としては、オーディオ信号を調整するようになされたミキサに代表される信号調整装置が知られている（例えば、特許文献１参照）。
【０００３】
このような従来の信号調整装置は、所定の移動範囲を移動する操作子と、操作子の位置を検出するスライドボリュームとを備えるように構成され、操作子の位置に基づいて、オーディオ信号の音量レベルを調整するようになっている。
【特許文献１】
特開平８−１９５０６８号公報（第３頁、第１図）
【０００４】
【発明が解決しようとする課題】
しかしながら、前述した従来の信号調整装置では、スライドボリュームが、接触式の位置検出器であって、上記操作子を移動させる場合にその移動に対して一定の負荷が加わるように構成されているので、使用者の嗜好に合わせて操作子に加わる当該負荷の大きさを調整することができないという問題が一例としてあった。
【０００５】
そこで、本願は、前述した問題を鑑みてなされたもので、その課題の一例としては、使用者の嗜好に合わせて操作子に加わる負荷の大きさを調整することができる信号調整装置を提供することが挙げられる。
【０００６】
【課題を解決するための手段】
上記の課題を解決するために、請求項１に記載の信号調整装置は、所定の移動範囲を移動する移動部材の位置に基づいて信号を調整する信号調整装置において、前記移動部材の移動に負荷を付与する負荷付与手段と、前記付与される負荷の大きさを調整する負荷調整手段と、を備えることを特徴とする。
【０００７】
【発明の実施の形態】
以下、本願を実施するための最良の形態について、図面を用いて説明する。
【０００８】
図１から図６は、本願に係る信号調整装置の一実施形態を示すものである。
【０００９】
まず、本実施形態における信号調整装置の構成について説明する。なお、本実施形態では、本願に係る信号調整装置をオーディオ機器用のミキサに適用しているが、これに限らず、例えば、ロボット機器用のコントローラ、ゲーム機器用のコントローラ、電子楽器用のインターフェイスなどに適用してもよい。
【００１０】
本実施形態における信号調整装置１００は、オーディオ信号を調整するようになされたミキサであり、図１から図６に示すように、箱状の本体１１０と、本体１１０の前部に収容されたケース１２０と、ケース１２０に取り付けられた２つの軸状の支持部材１３０ａ、１３０ｂと、支持部材１３０ａ、１３０ｂに移動可能に支持された移動部材１４０と、移動部材１４０に連結されたツマミ状の操作子（フェーダ）１５０と、移動部材１４０の移動に負荷を付与する負荷付与手段としての負荷付与機構１６０と、移動部材１４０に付与される負荷の大きさを調整する負荷調整手段としての負荷調整機構１７０とを備えている。
【００１１】
本体１１０には、操作面１１１が設けられており、前述した操作子１５０の他に、各種機能を操作するための複数の操作子１１２、各種情報を表示する表示部１１３などが配置されている。
【００１２】
ここで、以下の説明では、本体１１０の幅方向をＡ方向、本体１１０の高さ方向をＢ方向、本体１１０の奥行き方向をＣ方向と称するとともに、各図中に記載する。
【００１３】
ケース１２０には、平板状のパネル１２１が取り付けられている。パネル１２１には、Ａ方向に延在する開口１２２が形成されている。操作子１５０は、開口１２２を介して本体１１０の外部に突出しており、使用者によってＡ方向に操作されるようになっている。
【００１４】
支持部材１３０ａ、１３０ｂは、Ａ方向に沿って互いに平行に配置されているとともに、パネル１２１に対して平行に配置されている。移動部材１４０は、支持部材１３０ａ、１３０ｂに沿ってＡ方向に移動するようになっている。
【００１５】
負荷付与機構１６０は、移動部材１４０に固定された磁石１６１と、Ａ方向に延在する磁性体としての金属板１６２とによって構成されており、磁石１６１が磁力によって金属板１６２を吸引することにより移動部材１４０の移動に負荷を付与するようになっている。したがって、磁石１６１と金属板１６２との間の距離が小さい場合には移動部材１４０の移動時の負荷が大きくなり、磁石１６１と金属板１６２との間の距離が大きい場合には移動部材１４０の移動時の負荷が小さくなる。
【００１６】
負荷調整機構１７０は、磁石１６１と金属板１６２との間の距離を変化させるように金属板１６２を移動させる調整部材１７１によって構成されており、調整部材１７１は、２つの軸１７２ａ、１７２ｂからなる支持部と、２つのアーム１７４ａ、１７４ｂからなるリンク機構１７５と、ラックギア１７６ａ、ウオームギア１７６ｂ及び回転軸１７６ｃからなる設定部１７７と、板バネ１７８ａ及び押さえ板１７８ｂからなる保持部１７９とを有している。
【００１７】
軸１７２ａ、１７２ｂは、Ｂ方向に沿って互いに平行に配置されているとともに、パネル１２１に対して直交するように配置されている。金属板１６２は、軸１７２ａ、１７２ｂに移動可能に支持され、軸１７２ａ、１７２ｂに沿ってＢ方向に移動するようになっている。なお、本実施形態では、金属板１６２がＢ方向に移動するように構成されているが、これに限らず、金属板１６２がＣ方向に移動するように構成してもよい。
【００１８】
リンク機構１７５は、図５に示すように、金属板１６２をＡ方向に対して平行に配置するようになっている。具体的には、互いに交差するアーム１７４ａ、１７４ｂが回動し、アーム１７４ａ、１７４ｂの両端間の距離がＢ方向に伸縮することにより、金属板１６２をＡ方向に対して平行に配置することが可能になる。
【００１９】
設定部１７７は、磁石１６１と金属板１６２との間の距離を任意に設定するようになっている。具体的には、ドライバーなどが係合する溝が一端に形成された回転軸１７６ｃが使用者によって回転されたときに、回転軸１７６ｃに接続されたウオームギア１７６ｂが回転し、ウオームギア１７６ｂに歯合するラックギア１７６ａがＢ方向に移動することにより、ラックギア１７６ａに取り付けられた金属板１６２がＢ方向に移動し、磁石１６１と金属板１６２との間の距離を任意に設定することが可能になる。このときに、回転軸１７６ｃの一端が操作面１１１側に露出しているので、操作子１５０を操作しながら（すなわち移動させながら）当該操作子１５０に加わる負荷を調整することができる。
【００２０】
保持部１７９は、磁石１６１と金属板１６２との間の距離を一定に保持するようになっている。具体的には、押さえ板１７８ｂに固定された板バネ１７８ａの凸部が回転軸１７６ｃに形成された凹部に係合することにより、回転軸１７６ｃの不要な回転を抑止し、磁石１６１と金属板１６２との間の距離を一定に保持することが可能になる。
【００２１】
このように構成された信号調整装置１００では、使用者によって操作子１５０がＡ方向に操作されることにより、移動部材１４０が所定の移動範囲（例えば４５ｍｍ）をＡ方向に往復移動するようになっている。このときに、磁石１６１と金属板１６２との間の距離に応じた負荷が移動部材に付与されるようになっている。
【００２２】
また、信号調整装置１００は、移動部材１４０の位置を検出するリニアエンコーダ１８０と、検出された移動部材１４０の位置に基づいてオーディオ信号を調整する演算ＩＣ（Ｉｎｔｅｇｒａｔｅｄ  Ｃｉｒｃｕｉｔ）１９０と、演算ＩＣ１９０からの制御信号をアナログ電位に変換するフィルタ及びレベルシフト回路１９１と、フィルタ及びレベルシフト回路１９１からのアナログ電位に応じてオーディオ信号の音量レベルを調整するＶＣＡ（Ｖｏｌｔａｇｅ  Ｃｏｎｔｒｏｌｌｅｄ  Ａｍｐｌｉｆｉｅｒ）などの音量調整回路１９２とを備えている。なお、演算ＩＣ１９０、フィルタ及びレベルシフト回路１９１、音量調整回路１９２などは、本体１１０内に収容された図示しない基板上に設けられている。
【００２３】
リニアエンコーダ１８０は、移動部材１４０に設けられた移動部１８１と移動部１８１から離隔するようにケース１２０に取り付けられた固定部１８２とによって構成された、所謂、非接触式の位置検出器である。より具体的には、移動部１８１は、スリット１８３を形成する部材からなるものであり、固定部１８２は、スリット１８３の有無を検知する光学センサ１８４と光学センサ１８４を保持する基板１８５とからなるものである。
【００２４】
演算ＩＣ１９０は、光学センサ１８４からの検出信号に基づいて、移動部材１４０の位置を認識するようになっており、移動部材１４０の位置に基づいて、オーディオ信号の音量レベルを制御するための制御信号を、ＰＷＭ（Ｐｕｌｓｅ  Ｗｉｄｔｈ  Ｍｏｄｕｌａｔｉｏｎ）などのデジタル信号としてフィルタ及びレベルシフト回路１９１に出力するようになっている。
【００２５】
以上説明したように、本実施形態によれば、負荷調整機構１７０によって移動部材１４０に付与される負荷の大きさを調整することができるので、使用者の嗜好に合わせて操作子１５０に加わる負荷の大きさを調整することができる。
【００２６】
また、本実施形態によれば、負荷付与機構１６０が磁石１６１と金属板１６２とによって構成されているので、負荷付与機構１６０の構造が簡単になり、生産コストを低くすることができる。
【００２７】
また、本実施形態によれば、負荷調整機構１７０が金属板１６２を移動させる調整部材１７１によって構成されているので、負荷調整機構１７０の構造が簡単になり、生産コストを低くすることができる。
【００２８】
また、本実施形態によれば、リンク機構１７５によって金属板１６２をＡ方向に対して平行に配置することができるので、移動部材１４０の移動範囲内において均一の移動に負荷を付与することができ、操作感を向上させることができる。
【００２９】
また、本実施形態によれば、設定部１７７によって磁石１６１と金属板１６２との間の距離を任意に設定できるので、磁石１６１と金属板１６２との間の距離を容易に変更することができ、操作感を向上させることができる。
【００３０】
また、本実施形態によれば、保持部１７９によって磁石１６１と金属板１６２との間の距離を一定に保持できるので、磁石１６１と金属板１６２との間の距離が不用意に変更されることがなくなり、操作感を向上させることができる。
【図面の簡単な説明】
【図１】本願の一実施形態における信号調整装置を示す斜視図である。
【図２】本願の一実施形態における信号調整装置の要部を拡大した斜視図である。
【図３】本願の一実施形態における信号調整装置の要部を拡大した斜視図である。
【図４】本願の一実施形態における信号調整装置の要部を拡大した斜視図である。
【図５】本願の一実施形態における信号調整装置の要部を拡大した平面図である。
【図６】本願の一実施形態における信号調整装置の制御系の概略構成を示すブロック図である。
【符号の説明】
１００…信号調整装置
１４０…移動部材
１６０…負荷付与機構
１６１…磁石
１６２…金属板
１７０…負荷調整機構
１７１…調整部材
１７５…リンク機構
１７７…設定部
１７９…保持部
１８０…リニアエンコーダ
１９０…演算ＩＣ
【図１】
2005064071.tif 000003
【図２】
2005064071.tif 000004
【図３】
2005064071.tif 000005
【図４】
2005064071.tif 000006
【図５】
2005064071.tif 000007
【図６】
2005064071.tif 000008